(57)【要約】      （修正有）【課題】人や物の消火器への不意の衝突によって消火器が落下することを抑制することができる消火器用フックを提供する。【解決手段】消火器用フックは、取付面に固定される基部１１と、基部から延び、消火器の容器に設けられた掛け部を受ける支持部１３と、支持部の先端部から基部に向かって延び、掛け部との接触により掛け部が基部と支持部との間から外れることを規制する規制部１５と、を具備する。消火器用フックは、規制部の先端から基部に沿って延びる延長部１７を更に具備してもよい。【選択図】図１
0003216956.tif 000002
【実用新案登録請求の範囲】
【請求項１】
取付面に固定される基部と、
前記基部から延び、消火器の容器に設けられた掛け部を受ける支持部と、
前記支持部の先端部から前記基部に向かって延び、前記掛け部との接触により前記掛け部が前記基部と前記支持部との間から外れることを規制する規制部と、
を具備することを特徴とする消火器用フック。
【請求項２】
前記規制部の先端から前記基部に沿って延びる延長部
を更に具備することを特徴とする請求項１に記載の消火器用フック。
【請求項３】
前記延長部における前記基部側の面と、前記支持部における前記基部とは反対側の面と、の間の距離は、前記掛け部と前記容器との間の距離よりも小さいこと、
を特徴とする請求項２に記載の消火器用フック。
【考案の詳細な説明】
【技術分野】
【０００１】
本考案は、消火器を壁面や柱などに引っ掛けるための消火器用フックに関する。
【背景技術】
【０００２】
消火器の容器には、柱掛けと呼ばれる部品が溶接等により装着されている。この柱掛けを、建物の壁や柱などに取り付けられた消火器用フックに引っ掛けることで、消火器を壁や柱に設置することができる。かかる消火器用フックは、一般的に、金属板をＶ字状に折り曲げただけの単純な構造をしている（例えば特許文献１）。
【先行技術文献】
【特許文献】
【０００３】
【特許文献１】特開２０１４−２２３２６７号公報
【考案の概要】
【考案が解決しようとする課題】
【０００４】
しかし、このようなフックでは、壁に掛けてある消火器に人や物が不意に衝突した際に、消火器が持ち上げられてフックから外れ、床面に落下するおそれがある。このような消火器の不意の落下により、消火器が損傷したり、人が怪我したりするおそれがある。
【０００５】
そこで、本考案は、人や物の消火器への不意の衝突によって消火器が落下することを抑制することができる消火器用フックの提供を目的とする。
【課題を解決するための手段】
【０００６】
上述した課題を解決すべく、本考案は、取付面に固定される基部と、前記基部から延び、消火器の容器に設けられた掛け部を受ける支持部と、前記支持部の先端部から前記基部に向かって延び、前記掛け部との接触により前記掛け部が前記基部と前記支持部との間から外れることを規制する規制部と、を具備することを特徴とする消火器用フックを提供する。
【０００７】
上記のような構成を有する本考案の消火器用フックは、前記規制部の先端から前記基部に沿って延びる延長部を更に具備すること、が好ましい。
【０００８】
また、上記のような構成を有する本考案の消火器用フックでは、前記延長部における前記基部側の面と、前記支持部における前記基部とは反対側の面と、の間の距離が、前記掛け部と前記容器との間の距離よりも小さいこと、が好ましい。
【考案の効果】
【０００９】
上記本考案の消火器用フックを用いることにより、人や物の消火器への不意の衝突によって消火器が落下することを抑制することができる。このような消火器の意図しない落下により、消火器が損傷したり、人が怪我したりすることを防止することができる。
【図面の簡単な説明】
【００１０】
【図１】本考案の代表的な実施形態に係るフック１０の正面図及び縦断面図である。
【図２】図１のフック１０の使用状態の一例を示す図である。
【図３】図２の部分拡大断面図である。
【図４】消火器３０及びその掛け部３３を説明する上面図である。
【図５】本実施形態の変形例に係るフック２０の正面図である。
【考案を実施するための形態】
【００１１】
以下、本考案の代表的な実施形態に係る消火器用フックについて、図面を参照しつつ詳細に説明する。ただし、本考案は、本実施形態に限定されるものではない。また、図面は、本考案を概念的に説明するためのものであるから、理解容易のために、必要に応じて寸法、比又は数を誇張又は簡略化して表している場合もある。
【００１２】
ここでは、説明の便宜上、図上の座標軸を次のように定める。つまり、Ｚ軸の正方向を略鉛直上向きとし、Ｘ軸の正方向を、Ｚ軸に直交するとともに基部１１から支持部１３に向かう方向とする。Ｙ軸方向をＸ軸とＺ軸とに直交する方向とする。したがって、以下の説明において「上」とはＺ軸の正方向を指し、「下」とはＺ軸の負方向を指す。また、フック１０の幅方向はＹ軸方向に対応する。
【００１３】
本実施形態に係るフック１０は、図２に示すように、消火器３０を取付面５０に設置するために使用される。ここでは、取付面５０として壁面や柱の外周面を想定しているが、これに限られるものではない。
【００１４】
フック１０は、消火器３０の重量に十分耐えられるように、鉄やステンレス鋼のような金属材料で作製されることが好ましいが、本発明はこれに限られるものではない。フック１０は、消火器を取付面５０に設置するためのブラケットの一部分でもよく、また、消火器用の締結バンドと併用されてもよい。
【００１５】
かかるフック１０は、図１に示すように、基部１１、支持部１３、規制部１５及び延長部１７を含む。
基部１１は、取付面５０に例えばネジなどの固定手段で固定される部材である。本実施形態では、基部１１は、一方向（ここではＺ軸方向）に所定の幅で延びる板片であるが、本発明はこれに限られず、例えば円盤状や正方形状などの形状でもよい。なお、基部１１にはネジ孔１９が形成されている。
【００１６】
支持部１３は、基部１１から延び、消火器３０の掛け部３３を受ける板部材である。本実施形態では、図１（ｂ）に示すように、支持部１３は、基部１１から略直角に立ち上がってから屈曲し、基部１１と対向するように（つまり基部１１と略平行に）延びている。したがって、図３に示すように、消火器３０の保管時には、支持部１３と基部１１との間に消火器３０の掛け部３３が収まることになる。ここでは、支持部１３の寸法を、厚みｔ２、長さ（高さ）Ｈ２及び幅Ｗ２で表し、基部１１と支持部１３との間の距離Ｌ２で表すこととする。
【００１７】
規制部１５は、支持部１３の先端部から基部１１に向かって延び、支持部１３への入り口（隙間）を狭めている。これにより、消火器３０が不意に持ち上げられた場合に、掛け部３３が規制部１５に接触し、フック１０から外れることが規制されることになる。
【００１８】
延長部１７は、規制部１５の先端部から基部１１に沿って延びる板部材であり、掛け部３３を支持部１３の内外に案内する役割を果たす。したがって、消火器３０をフック１０に引っ掛けたり取外したりするときに、延長部１７と基部１１との間を掛け部３３が通過することになる。ここでは、延長部１７の寸法を、厚みｔ１、長さ（高さ）Ｈ１及び幅Ｗ１で表し、基部１１と延長部１７との間の距離Ｌ１で表すこととする。
【００１９】
ここで、消火器３０の掛け部３３について概説すると、掛け部３３は、図４に示すように、消火器３０の容器３１の外周面に例えば溶接などの固定手段によって取り付けられた、所定の幅の金属片である。掛け部３３は、容器３１の上部に固定されていることが多い（図２参照）。ここでは、掛け部３３の寸法を、厚みｔ３、長さ（高さ）Ｈ３及び幅Ｗ３で表し、容器３１と掛け部３３との間の距離Ｌ３で表すこととする。
【００２０】
このように各部の寸法を表すと、本実施形態では、フック１０と掛け部３３との間には以下の関係が成立することが好ましい。
１）延長部１７の高さＨ１≧０ｍｍ
つまり、延長部１７はなくてもよい（Ｈ１＝０）が、延長部１７が設けられる（Ｈ１＞０）ことにより、掛け部３３を支持部１３内に挿入しやすくなるとともに、支持部１３内の掛け部３３がフック１０から外れにくくなる。
【００２１】
２）支持部１３の高さＨ２＞掛け部３３の高さＨ３
つまり、支持部１３は、掛け部３３を基部１１との間に収容することができる。
Ｈ２＜Ｈ３では、フック１０が消火器３０を引っ掛けた状態において、掛け部３３が支持部１３内に収まらず、延長部１７にまで達することになる。
【００２２】
３）掛け部３３の厚みｔ３＜基部１１と延長部１７との間の距離Ｌ１＜基部１１と支持部１３との間の距離Ｌ２
ｔ３＜Ｌ１は、掛け部３３をフック１０内に挿入するための条件であり、Ｌ１＜Ｌ２は、規制部１５が形成されるための条件である。
消火器３０は、取付面５０に設置された状態では、図２のように取付面５０に対して傾いている。したがって、この状態で消火器３０が不意に持ち上げられても、図３に破線で示すように、掛け部３３が規制部１５に接触し、消火器３０の上方への更なる移動を規制する。したがって、消火器３０が不意にフック１０から抜け落ちることを防止できる。
【００２３】
４）延長部１７の厚みｔ１＜容器３１と掛け部３３との間の距離Ｌ３
５）延長部１７の幅Ｗ１＜掛け部３３の幅Ｗ３
これらは、延長部１７を容器３１と掛け部３３との間に挿通させるための条件である。
【００２４】
６）支持部１３の幅Ｗ２＜掛け部３３の幅Ｗ３
これは、掛け部３３を延長部１７から更に支持部１３まで入れ込むことができるための条件である。
【００２５】
７）（Ｌ２＋ｔ２−Ｌ１）＜Ｌ３
これは、延長部１７における基部１１側（取付面５０側）の面と、支持部１３における基部１１とは反対側（容器３１側）の面と、の間の距離が、掛け部３３と容器３１との間の距離よりも小さいことを意味し、掛け部３３がフック１０内にスムーズに収まるための条件である。
【００２６】
更には、以下の範囲であることが好ましい。
８）Ｈ１≦２０ｍｍ、Ｈ２≦２０ｍｍ、Ｈ３＜２０ｍｍ
Ｈ１、Ｈ２、Ｈ３が上記寸法以上であると、フック１０と掛け部３３が大型化し、消火器３０のフック１０への着脱が困難となる。
【００２７】
９）１ｍｍ≦Ｌ２−Ｌ１≦５ｍｍ
つまり、フック１０の規制部１５の長さは１ｍｍ以上であれば十分である。また、規制部１５の長さが５ｍｍ以上となると、フック１０が（掛け部３３も）大型化し、実用的でない。
【００２８】
厚みｔ１、ｔ２や幅Ｗ１、Ｗ２は、フック１０が消火器３０の重量に長期に耐え得る強度を確保できるように設計されてよい。例えば、厚みｔ１、ｔ２は、フック１０が鉄製又はステンレス鋼製である場合では、０．５〜１．５ｍｍ程度であることが好ましい。
【００２９】
また、幅Ｗ３が例えば２０ｍｍ程度である場合には、幅Ｗ１、Ｗ２は、例えば１８ｍｍ程度でよい。幅Ｗ１及びＷ２は、フック１０の製造のしやすさを考慮すると同寸法であることが好ましいが、別寸法としてもよい。
【００３０】
例えば図５に示す変形例に係るフック２０のように、Ｗ１’＞Ｗ２とすると、延長部１７と支持部１３との間に幅方向（Ｙ軸方向）の段差２１を持つ。この段差２１に掛け部３３が接触することで、意図しない消火器３０の脱落をより確実に防ぐことができる。
【００３１】
以上、本考案の代表的な実施形態について説明したが、本考案はこれらに限定されるものではなく、種々の設計変更が可能である。
【符号の説明】
【００３２】
１０・・・フック、
１１・・・基部、
１３・・・支持部、
１５・・・規制部、
１７・・・延長部、
３０・・・消火器、
３１・・・容器、
３３・・・掛け部。
【図１】
0003216956.tif 000003
【図２】
0003216956.tif 000004
【図３】
0003216956.tif 000005
【図４】
0003216956.tif 000006
【図５】
0003216956.tif 000007